(57)【要約】【課題】リスクを確実に抽出して会社全体のリスクを網羅的に把握することができる鉄道リスク抽出支援方法等を提供する。【解決手段】記憶手段に記憶されたリスク情報データベース、第１軸要素リスト及び複数の第２軸要素リストを読み込む情報読込ステップと、第１軸要素リストと、第２軸要素リストとの組み合わせにより複数のマトリクスを形成し、マトリクスの各セルに対する第１軸の要素及び第２軸の要素に基づきリスク情報データベースから抽出したリスク情報を割り当てた複数のリスク一覧表を作成し表示手段に表示させる一覧作成ステップと、リスク情報が割り当てられなかったマトリクスのセルを空欄表示させるリスク抽出支援ステップと、リスク情報が割り当てられなかったマトリクスのセルに対して入力操作手段により入力されたリスク情報を、リスク情報データベースに追加するリスク入力支援ステップとを含む。【選択図】図１
2015156177.tif 000002
【特許請求の範囲】
【請求項１】
記憶手段に記憶されたリスク情報データベース、第１軸要素リスト、及び、複数の第２軸要素リストを読み込む情報読込ステップと、
前記第１軸要素リストと、前記複数の第２軸要素リストとの組み合わせにより複数のマトリクスを形成し、当該マトリクスの各セルに対する第１軸の要素及び第２軸の要素に基づき前記リスク情報データベースから抽出したリスク情報を割り当てた複数のリスク一覧表を作成し表示手段に表示させる一覧作成ステップと、
前記リスク情報が割り当てられなかったマトリクスのセルを空欄表示させるリスク抽出支援ステップと、
前記リスク情報が割り当てられなかったマトリクスのセルに対して入力操作手段により入力されたリスク情報を、前記リスク情報データベースに追加するリスク入力支援ステップと、
を含むことを特徴とする鉄道リスク抽出支援方法。
【請求項２】
リスク抽出支援ステップでは、
前記リスク情報が割り当てられなかったマトリクスのセルの周囲のセルのリスク情報からキーワードを抽出して、当該キーワードをそれぞれのセル内にて強調表示することを特徴とする請求項１記載の鉄道リスク抽出支援方法。
【請求項３】
リスク抽出支援ステップでは、
前記リスク情報が割り当てられなかったマトリクスのセルの周囲のセルのリスク情報からキーワードを抽出して、前記リスク情報が割り当てられなかったマトリクスのセル内に抽出したキーワードを表示することを特徴とする請求項１又は２記載の鉄道リスク抽出支援方法。
【請求項４】
リスク抽出支援ステップでは、
前記リスク情報が割り当てられなかったマトリクスのセルの周囲のセルのリスク情報からキーワードを抽出して、前記リスク情報が割り当てられなかったマトリクスのセル内に抽出したキーワードに基づき自動作成した文章を表示することを特徴とする請求項１から３の何れか一項に記載の鉄道リスク抽出支援方法。
【請求項５】
記憶部に記憶されたリスク情報データベース、第１軸要素リスト、及び、複数の第２軸要素リストを読み込む情報読込部と、
前記第１軸要素リストと、前記複数の第２軸要素リストとの組み合わせにより複数のマトリクスを形成し、当該マトリクスの各セルに対する第１軸の要素及び第２軸の要素に基づき前記リスク情報データベースから抽出したリスク情報を割り当てた複数のリスク一覧表を作成し表示部に表示させる一覧作成部と、
前記リスク情報が割り当てられなかったマトリクスのセルを空欄表示させるリスク抽出支援部と、
前記リスク情報が割り当てられなかったマトリクスのセルに対して入力操作部により入力されたリスク情報を、前記リスク情報データベースに追加するリスク入力支援部と、
を備えることを特徴とする鉄道リスク抽出支援装置。
【請求項６】
リスク抽出支援部は、
前記リスク情報が割り当てられなかったマトリクスのセルの周囲のセルのリスク情報からキーワードを抽出して、当該キーワードをそれぞれのセル内にて強調表示することを特徴とする請求項５記載の鉄道リスク抽出支援装置。
【請求項７】
リスク抽出支援部は、
前記リスク情報が割り当てられなかったマトリクスのセルの周囲のセルのリスク情報からキーワードを抽出して、前記リスク情報が割り当てられなかったマトリクスのセル内に抽出したキーワードを表示することを特徴とする請求項５又は６記載の鉄道リスク抽出支援装置。
【請求項８】
リスク抽出支援部は、
前記リスク情報が割り当てられなかったマトリクスのセルの周囲のセルのリスク情報からキーワードを抽出して、前記リスク情報が割り当てられなかったマトリクスのセル内に抽出したキーワードに基づき自動作成した文章を表示することを特徴とする請求項５から７の何れか一項に記載の鉄道リスク抽出支援装置。
【発明の詳細な説明】
【技術分野】
【０００１】
本発明は、鉄道リスク抽出支援方法及び鉄道リスク抽出支援装置に関する。
【背景技術】
【０００２】
鉄道事故等が生じた後に、その事故の種別、規模等を記載した報告書を作成し、あるいは、統計的な資料を作成するために、これらの事故に関する情報を蓄積して管理するシステムが知られている。
例えば、鉄道事故に関連して、鉄道会社は、保守作業等により生じた事故、列車車両の運転により生じた事故、あるいは、踏切事故等の事故報告書等を作成する必要がある。このため、鉄道会社においては、事故に関する情報をデータとして蓄積し、この蓄積されたデータに基づき事故件数等を含む定例帳票を作成するシステムや、事故に関するデータの検索、分析、対策の策定を支援するシステムが開発されている（例えば、特許文献１参照）。
特に、鉄道会社においては、会社全体のリスクを計画的に削減するといったリスクアセスメントの観点から、会社全体のリスクを網羅的に把握することが極めて重要である。
【先行技術文献】
【特許文献】
【０００３】
【特許文献１】特許第３２５９２４２号公報
【発明の概要】
【発明が解決しようとする課題】
【０００４】
しかしながら、鉄道会社におけるそれぞれ部門におけるリスクの抽出方法、例えば、保守作業部門、運行部門や管理部門等といった各部門ではリスクを分類する要素が異なるため、各部門で抽出されたリスクを、部門間で互いに共有化することが難しいとともに、会社全体のリスク管理を行う部門にリスクが集約され難く、会社全体のリスクを網羅的に把握することが難いといった問題点があった。
また、各部門においてリスクを抽出する際の上述の抽出方法の違いにより、リスクの抽出漏れが生じていまい、所謂、想定外のリスクとして保守作業等に内在してしまうおそれがあった。
【０００５】
本発明の課題は、リスクを確実に抽出して会社全体のリスクを網羅的に把握することができる鉄道リスク抽出支援方法及び鉄道リスク抽出支援装置を提供することにある。
【課題を解決するための手段】
【０００６】
上記課題を達成するため、この発明は、
記憶手段に記憶されたリスク情報データベース、第１軸要素リスト、及び、複数の第２軸要素リストを読み込む情報読込ステップと、
前記第１軸要素リストと、前記複数の第２軸要素リストとの組み合わせにより複数のマトリクスを形成し、当該マトリクスの各セルに対する第１軸の要素及び第２軸の要素に基づき前記リスク情報データベースから抽出したリスク情報を割り当てた複数のリスク一覧表を作成し表示手段に表示させる一覧作成ステップと、
前記リスク情報が割り当てられなかったマトリクスのセルを空欄表示させるリスク抽出支援ステップと、
前記リスク情報が割り当てられなかったマトリクスのセルに対して入力操作手段により入力されたリスク情報を、前記リスク情報データベースに追加するリスク入力支援ステップと、
を含むようにしたものである。
【０００７】
また、望ましくは、前記リスク情報が割り当てられなかったマトリクスのセルの周囲のセルのリスク情報からキーワードを抽出して、当該キーワードをそれぞれのセル内にて強調表示するようにしたものである。
【０００８】
また、望ましくは、リスク抽出支援ステップでは、前記リスク情報が割り当てられなかったマトリクスのセルの周囲のセルのリスク情報からキーワードを抽出して、前記リスク情報が割り当てられなかったマトリクスのセル内に抽出したキーワードを表示するようにしたものである。
【０００９】
また、望ましくは、リスク抽出支援ステップでは、前記リスク情報が割り当てられなかったマトリクスのセルの周囲のセルのリスク情報からキーワードを抽出して、前記リスク情報が割り当てられなかったマトリクスのセル内に抽出したキーワードに基づき自動作成した文章を表示するようにしたものである。
【００１０】
また、本出願の他の発明は、
記憶部に記憶されたリスク情報データベース、第１軸要素リスト、及び、複数の第２軸要素リストを読み込む情報読込部と、
前記第１軸要素リストと、前記複数の第２軸要素リストとの組み合わせにより複数のマトリクスを形成し、当該マトリクスの各セルに対する第１軸の要素及び第２軸の要素に基づき前記リスク情報データベースから抽出したリスク情報を割り当てた複数のリスク一覧表を作成し表示部に表示させる一覧作成部と、
前記リスク情報が割り当てられなかったマトリクスのセルを空欄表示させるリスク抽出支援部と、
前記リスク情報が割り当てられなかったマトリクスのセルに対して入力操作部により入力されたリスク情報を、前記リスク情報データベースに追加するリスク入力支援部と、
を備えるようにしたものである。
【００１１】
また、望ましくは、リスク抽出支援部は、前記リスク情報が割り当てられなかったマトリクスのセルの周囲のセルのリスク情報からキーワードを抽出して、当該キーワードをそれぞれのセル内にて強調表示するようにしたものである。
【００１２】
また、望ましくは、リスク抽出支援部は、前記リスク情報が割り当てられなかったマトリクスのセルの周囲のセルのリスク情報からキーワードを抽出して、前記リスク情報が割り当てられなかったマトリクスのセル内に抽出したキーワードを表示するようにしたものである。
【００１３】
また、望ましくは、リスク抽出支援部は、前記リスク情報が割り当てられなかったマトリクスのセルの周囲のセルのリスク情報からキーワードを抽出して、前記リスク情報が割り当てられなかったマトリクスのセル内に抽出したキーワードに基づき自動作成した文章を表示するようにしたものである。
【発明の効果】
【００１４】
本発明によれば、縦軸要素リスト（第１軸要素リスト）と、複数の横軸要素リスト（第２軸要素リスト）との組み合わせにより複数のマトリクスを形成し、マトリクスの各セルに対する縦軸（第１軸）の要素及び横軸（第２軸）の要素に基づきリスク情報データベースから抽出したリスク情報を割り当てた複数のリスク一覧表を作成し、リスク情報が割り当てられなかったマトリクスのセルを空欄表示させ、空欄表示のセルに対して入力されたリスク情報を、リスク情報データベースに追加することにより、リスク情報が割り当てられていないセルを空欄表示して、抽出操作者に対して注意喚起することができるので、当該セルに対するリスク抽出の支援を行うことができ、全てのリスク一覧表で縦軸（第１軸）の要素が共通になるので、会社全体のリスクを網羅的に把握し易くなる。
【図面の簡単な説明】
【００１５】
【図１】本実施の形態に係る鉄道リスク抽出支援装置の構成の一例を示す概略構成図である。
【図２】鉄道リスク抽出支援装置の動作の一例を示すフローチャートである。
【図３】記憶部に記憶された各情報の一例を示す説明図である。
【図４】一覧作成部により作成された一覧表の一例を示す説明図である。
【図５】一覧作成部により作成された一覧表の他の一例を示す説明図である。
【図６】リスク抽出支援部による一覧表における抽出支援の一例を示す説明図である。
【図７】リスク抽出支援部による一覧表における抽出支援の他の一例を示す説明図である。
【発明を実施するための形態】
【００１６】
［１．構成の説明］
以下、図面を参照しつつ、本発明の実施形態である鉄道リスク抽出支援方法及び鉄道リスク抽出支援装置を詳細に説明する。但し、発明の範囲は、図示例に限定されない。
【００１７】
（実施形態）
本発明の実施形態の鉄道リスク抽出支援装置の構成について図１を参照して説明する。図１は、鉄道リスク抽出支援装置１００の機能をブロック図として表した概略構成図である。
図１に示すように、鉄道リスク抽出支援装置１００（以下、単に装置１００と呼ぶ。）は、入力操作部１、記憶部２、表示部３、通信部４、情報読込部５、一覧作成部６、リスク抽出支援部７及びリスク入力支援部８を有する。
また、情報読取部５、一覧作成部６、リスク抽出支援部７及びリスク入力支援部８は、演算制御部５０によってその機能が実現される。具体的には、演算制御部５０は、ＣＰＵ、ＲＯＭ、ＲＡＭ等を有しており、ＲＡＭの作業領域に展開されたＲＯＭ等に記憶された各種プログラムデータとＣＰＵとの協働により、入力操作部１、記憶部２、表示部３及び通信部４を統括制御するとともに、情報読取部５、一覧作成部６、リスク抽出支援部７及びリスク入力支援部８における処理を実行して各部の機能を実現する。
【００１８】
入力操作部１は、演算制御部５０の制御により、装置１００外部から、例えば、リスク情報を取り込むとともに、表示部３に表示される表示画面を操作する。例えば、情報を入力するためのＵＳＢコネクタ等の入力ポート、スキャナー、キーボード、タッチパネル等や、表示画面を操作するためのマウス、タッチパネル等である。
具体的には、入力操作部１は、後述のリスク一覧表を構成するマトリクスのセルに対してリスク情報を入力する入力操作手段としての機能を有する。
記憶部２は、演算制御部５０（情報読取部５、一覧作成部６、リスク抽出支援部７、リスク入力支援部８）から読み書き可能に情報を記憶する。例えば、記憶部２は、ＨＤＤ、半導体メモリ等であって、入力操作部１で取り込まれたリスク情報等や、リスク情報データベース、縦軸要素リスト（第１軸要素リスト）、複数の横軸要素リスト（第２軸要素リスト）が記憶されている。
具体的には、記憶部２は、入力操作部１で取り込まれたリスク情報等や、リスク情報データベース、縦軸要素リスト、複数の横軸要素リストを記憶する記憶手段としての機能を有する。
表示部３は、演算制御部５０（情報読取部５、一覧作成部６、リスク抽出支援部７、リスク入力支援部８）から出力された表示制御信号に基づいた情報や画像を表示画面上に表示する。例えば、表示部３は、ＣＲＴやＬＣＤ、有機ＥＬ素子を用いたフラットパネルディスプレイ等である。
具体的には、表示部３は、演算制御部５０から出力された表示制御信号に基づいた情報や画像を表示画面上に表示する表示手段としての機能を有する。
通信部４は、演算制御部５０の制御により、インターネット、無線通信等のネットワーク経由で装置１００外部のサーバから、例えば、リスク情報データベース、縦軸要素リスト、複数の横軸要素リスト等の情報を、受信して取り込み記憶部２に記憶させる。
【００１９】
情報読込部５は、記憶部２に記憶されているリスク情報データベース、縦軸要素リスト、複数の横軸要素リストを読み込み、必要に応じてＲＡＭの作業領域に展開する。あるいは、リスク情報データベース、縦軸要素リスト、複数の横軸要素リスト等の書類を入力操作部１であるスキャナーで読み込んでＯＣＲ等で電子化して読み込んでも良いし、入力操作部１であるキーボードによる手入力で情報を読み込んでも良い。
一覧作成部６は、情報読込部５が読み込んだ縦軸要素リストの要素を縦軸に、複数の横軸要素リストの一つの横軸要素リストの要素を横軸にした、横軸要素リストと同数のマトリクスをリスク一覧表としてそれぞれ形成するとともに、マトリクスの各セルに対する縦軸の要素及び横軸の要素に基づきリスク情報をリスク情報データベースから抽出して、対応するマトリクスのセルに書き込むことにより、横軸要素の異なる複数のリスク一覧表を作成して表示部３の表示画面上に表示させる。
リスク抽出支援部７は、表示部３の表示画面上に表示されたリスク一覧表のマトリクスのセルのうち、リスク情報が書き込まれていないセルを検索し、空欄である旨の表示を行う。
リスク入力支援部８は、表示部３の表示画面上に表示されたリスク一覧表のマトリクスのセルのうち、リスク情報が書き込まれていないセルに対して、入力操作部１から入力されたリスク情報を読み込んで、記憶部２に記憶されているリスク情報データベースに、入力されたリスク情報を追加する。
【００２０】
［２．鉄道リスク抽出支援装置の動作の説明］
ここで、本発明の実施形態における鉄道リスク抽出支援装置１００の具体的な動作の説明を図２〜図５を用いて詳細に行う。
図２のフローチャートに示すように、情報読込部５は、記憶部２に記憶されているリスク情報データベース、縦軸要素リストを読み込み、さらに、複数の横軸要素リストをそれぞれ読み込む（ステップＳ１：情報読込ステップ）。
【００２１】
図３は、記憶部２に記憶されたリスク情報データベース、縦軸要素リスト及び複数の横軸要素リストを示す説明図であり。
具体的に、リスク情報データベースＩＮ３１は、これまでに抽出されているリスク情報を蓄積したデータベースであり、例えば、「運転士が信号を誤認して信号を冒進」、「運転区所の当直助役が乗務員に誤った時刻変更の時刻を伝達、乗務員が早発」、「エスカレータが急停止して、旅客が転倒」、「踏切で自動車と衝突」等のリスクが、「運転」、「車両」、「駅」、「指令」、「原因」、「場所」、「死傷種別」等の要素と関連付けられて蓄積されている。
また、縦軸要素リストＩＮ３２は、全てのリスク一覧表に共通で、会社が定める「基本分類」や「事故報告種別」等であり、例えば、上述の要素のうち、「運転」、「車両」、「駅」、「指令」等の要素が記録されたリストである。
一方、横軸要素リストＩＮ３３〜ＩＮ３５は、リスクの抜けを見つけるための視点であり、例えば、横軸要素リストＩＮ３３は「原因」、横軸要素リストＩＮ３４は「場所」、横軸要素リストＩＮ３５は「死傷種別」の各要素が記録されたリストである。
ちなみに、横軸要素リストＩＮ３３〜ＩＮ３５は、各部門でリスクを分類する際に用いられる要素をまとめたものであっても良い。また、図３においては、３つの横軸要素リストが例示されているが、勿論、幾つであっても良い。
【００２２】
そして、一覧作成部６は、縦軸要素リストＩＮ３２の要素を縦軸に配置し、複数の横軸要素リストＩＮ３３〜ＩＮ３５の一つの横軸要素リストの要素を横軸に配置した、マトリクスであるリスク一覧表を、横軸要素リストと同数形成するとともに、マトリクスの各セルに対する縦軸の要素及び横軸の要素に基づきリスク情報をリスク情報データベースＩＮ３１から抽出して、対応するマトリクスのセルに割り当て、横軸要素の異なる複数のリスク一覧表を作成して表示部３の表示画面上に表示させる（ステップＳ２：一覧作成ステップ）。
【００２３】
例えば、図４に示すように、縦軸要素リストＩＮ３２の要素を縦軸に配置し、横軸要素リストＩＮ３３の要素を横軸に配置したマトリクスであるリスク一覧表ＭＴ４１、縦軸要素リストＩＮ３２の要素を縦軸に配置し、横軸要素リストＩＮ３４の要素を横軸に配置したマトリクスであるリスク一覧表ＭＴ４２、縦軸要素リストＩＮ３２の要素を縦軸に配置し、横軸要素リストＩＮ３５の要素を横軸に配置したマトリクスであるリスク一覧表ＭＴ４３をそれぞれ作成する。そして、例えば、リスク一覧表ＭＴ４１のセルには、マトリクスの各セルに対する縦軸の要素及び横軸の要素に基づき、リスク情報ＩＮ４１〜ＩＮ４５を割り当て表示部３の表示画面上に表示させる。
また、図４におけるリスク一覧表ＭＴ４１〜ＭＴ４３の横軸要素は、各部門におけるリスクを分類する要素である場合には、各部門に応じたリスク一覧表を得ることができる。
なお、リスク一覧表の一つのセルに割り当てされるリスク情報は、一つであるとは限らず、例えば、「踏切で自動車と衝突」、「踏切で二輪車と衝突」等の複数のリスク情報が、リスク一覧表の一つのセルに割り当てられることもある。
【００２４】
そして、リスク抽出支援部７は、表示部３の表示画面上に表示されたリスク一覧表のマトリクスのセルのうち、リスク情報が割り当てられていないセルを検索し、空欄である旨の表示させる処理を行う（ステップＳ３：リスク抽出支援ステップ）。
例えば、図５に示すように、リスク一覧表ＭＴ５１のマトリクスのセルのうち、リスク情報が割り当てられていないセルを検索して、検索されたセルに、例えば、他のセルと異なる色をベタ塗りする等して空欄表示ＢＬ５１〜ＢＬ５３を行う。
【００２５】
図５に示すリスク一覧表において、リスク情報が割り当てられていない空欄表示のセルは、本来抽出すべきリスク情報が欠落している、あるいは、物理的理由等によりリスクが発生し得ないのかの何れかである。
すなわち、図５に示すリスク一覧表において、リスク情報が割り当てられていないセルを空欄表示して、抽出操作者に対して注意喚起することにより、当該セルに対するリスク抽出の支援を行うことができる。
【００２６】
このため、抽出操作者は、表示部３の表示画面上に表示されたリスク一覧表を見て、当該空欄表示のセルに適合するリスク情報があると判断した場合、キーボード等の入力操作部１により該空欄表示のセルに対して適合するリスク情報を入力する。
また、物理的理由等によりリスクが発生し得ないと判断した場合には、リスクが発生しない旨の情報を、入力操作部１により入力しても良い。
【００２７】
そして、リスク入力支援部８は、表示部３の表示画面上に表示されたリスク一覧表のマトリクスのセルのうち、リスク情報が書き込まれていないセルに対して、入力操作部１により入力されたリスク情報を読み込んで、記憶部２に記憶されているリスク情報データベースに、入力されたリスク情報を追加する処理を行うことにより、リスク情報データベースＩＮ３１に蓄積する（ステップＳ４：リスク入力支援ステップ）。
【００２８】
以上のように、会社が定める縦軸要素リストと、複数の横軸要素リストとの組み合わせにより複数のマトリクスを形成し、マトリクスの各セルに対する縦軸の要素及び横軸の要素に基づきリスク情報データベースから抽出したリスク情報を割り当てた複数のリスク一覧表を作成することにより、全てのリスク一覧表で縦軸の要素が共通になるので、会社全体のリスクを網羅的に把握し易くなる。
【００２９】
また、リスク情報が割り当てられなかったマトリクスのセルをして、抽出操作者に対して注意喚起することにより、当該セルに対するリスク抽出の支援を行うことができるので、リスクを確実に抽出することができる。また、空欄表示のセルに対して入力されたリスク情報を、リスク情報データベースに追加することにより、リスク情報データベースを充実させることができる。
【００３０】
なお、本発明の実施形態等の説明に際しては、リスク抽出支援部７が、リスク情報が割り当てられなかったマトリクスのセルを空欄表示させているが、リスク抽出支援部７が、当該セルの周囲のセルのリスク情報からキーワードを抽出して、周囲のセルに抽出したキーワードを強調表示しても良い。
具体的には、リスク抽出支援部７が、「リスク情報が割り当てられなかったマトリクスのセル」に関連付けられている周囲のセルのリスク情報において一定の頻度以上で出現している単語をキーワードとして抽出して、周囲のセルに抽出したキーワードを強調表示する。
【００３１】
例えば、図６に示すように、リスク抽出支援部７が、リスク一覧表ＭＴ６１のマトリクスのセルのうち、リスク情報が書き込まれていないセルＣＬ６１に関連付けられている周囲のセルであるセルＣＬ６２〜ＣＬ６５のリスク情報からキーワードを抽出して、抽出したキーワードである「ＡＡＡ」、「ＢＢＢ」、「ＧＧＧ」、「ＦＦＦ」を強調表示する。
【００３２】
ここで、図６では、「リスク情報が割り当てられなかったマトリクスのセル」に関連付けられている周囲のセルとして、リスク情報が書き込まれていないセルＣＬ６１と辺が接するセルを周辺のセルＣＬ６２〜ＣＬ６５としているが、勿論、セルＣＬ６１と頂点が接するセルＣＬ６６〜ＣＬ６９を周辺のセルに含めても良いし、さらにその外側のセルを含めても良い。
また、キーワードの抽出方法としては、リスク情報において一定の頻度以上で出現している単語のみならず、リスク情報において予め設定した頻度以上で出現している単語やリスク情報におけるある他の単語と比べて相対的に出現頻度の高い単語の上位から予め設定した割合に含まれる単語であっても良い。
また、強調表示に関しては、色彩、フォント、囲み、太字、細字、アンダーライン、斜体、マーカ等により強調してキーワードを表示させる。
【００３３】
この時、リスク一覧表ＭＴ６１における、リスク情報が割り当てられなかったマトリクスのセルＣＬ６１の周囲のセルＣＬ６２〜ＣＬ６５は互いに関連したリスク情報になっているので、リスク抽出支援部７が、周囲のセルＣＬ６２〜ＣＬ６５のリスク情報からキーワードを抽出して、周囲のセルＣＬ６２〜ＣＬ６５に抽出したキーワードを強調表示することにより、リスク情報が割り当てられなかったマトリクスのセルＣＬ６１に適合するリスク情報を決定し易くなる。
【００３４】
また、図６に示すように、リスク抽出支援部７が、当該セルＣＬ６１の周囲のセルＣＬ６２〜ＣＬ６５のリスク情報からキーワードを抽出して、周囲のセルＣＬ６２〜ＣＬ６５に抽出したキーワードを強調表示するのではなく、当該セルＣＬ６１内に抽出したキーワードを表示させたり、抽出したキーワードに基づき自動作成した文章（推定リスク情報）を表示させても良い。
具体的には、リスク抽出支援部７が、「リスク情報が割り当てられなかったマトリクスのセル」に関連付けられている周囲のセルのリスク情報において一定の頻度以上で出現している単語をキーワードとして抽出して、当該セルＣＬ６１内に抽出したキーワードを表示させたり、抽出したキーワードに基づき自動作成した文章（推定リスク情報）を表示させる。
【００３５】
例えば、図７に示すように、リスク抽出支援部７が、リスク一覧表ＭＴ７１のマトリクスのセルのうち、リスク情報が書き込まれていないセルＣＬ７１に関連付けられている周囲のセルであるセルＣＬ７２〜ＣＬ７５のリスク情報からキーワードを抽出して、セルＣＬ７１内に、抽出したキーワードである［ＡＡＡ」、「ＢＢＢ」、「ＧＧＧ」、「ＦＦＦ」を表示させる。
あるいは、抽出したキーワードに基づき自動作成した文章（推定リスク情報）、「ＡＡＡが、ＢＢＢをＧＧＧと誤認してＦＦＦした。」をセルＣＬ７１内に表示させても良い。
【００３６】
ここで、図７では、「リスク情報が割り当てられなかったマトリクスのセル」に関連付けられている周囲のセルとして、リスク情報が書き込まれていないセルＣＬ７１と辺が接するセルを周辺のセルＣＬ７２〜ＣＬ７５としているが、勿論、セルＣＬ７１と頂点が接するセルＣＬ７６〜ＣＬ７９を周辺のセルに含めても良いし、さらにその外側のセルを含めても良い。
また、キーワードの抽出方法としては、リスク情報において一定の頻度以上で出現している単語のみならず、リスク情報において予め設定した頻度以上で出現している単語やリスク情報におけるある他の単語と比べて相対的に出現頻度の高い単語の上位から予め設定した割合に含まれる単語であっても良い。
【００３７】
このように、リスク抽出支援部７により、リスク情報が書き込まれていないマトリクスのセルＣＬ７１に、当該セルＣＬ７１の周囲のセルＣＬ７２〜ＣＬ７５から抽出したキーワード等を表示させることにより、リスク情報が割り当てられなかったマトリクスのセルＣＬ７１に適合するリスク情報をより決定し易くなる。
【００３８】
また、図６及び図７の説明に際しては、リスク抽出支援部７が、リスク一覧表のマトリクスのセルのうち、リスク情報が書き込まれていないセルの周囲のセルのリスク情報からキーワードを抽出して、自動的に、周辺のセル、あるいは、リスク情報が書き込まれていないセルに対してキーワードを表示させているが、入力操作部１によるリスク情報が書き込まれていない任意のセルの選択、キーワード表示操作、キーワード表示ボタンの押下げ等が行われた後に、図６若しくは図７のようなキーワード表示をさせるものでも良い。
このように、所定の操作の後に、キーワードの抽出及び表示を行うことによって、図６若しくは図７のようにキーワードを自動的に表示させた場合と比較して、強調表示によりリスク一覧表がかえって見えづらくなることを防止できる。
勿論、リスク抽出支援部７による図６及び図７に示すリスク抽出支援を、適宜組み合わせても良い。
【００３９】
また、図６及び図７の説明に際しては、リスク抽出支援部７が、リスク一覧表のマトリクスのセルのうち、リスク情報が書き込まれていないセルの周囲のセルのリスク情報からキーワードを抽出しているが、リスク一覧表のマトリクスのセルのうち、書き込まれているリスク情報が、予め設定した値以下である場合に、当該セルの周囲のセルのリスク情報からキーワードを抽出しても良い。
【００４０】
また、リスク入力支援部８により、リスク一覧表のリスク情報が書き込まれていないセルに対して、入力操作部１により入力されたリスク情報を読み込むのではなく、入力操作部１によるリスク入力操作や、リスク入力ボタンの押下げ等が行われた後に、表示部３に別途入力画面を表示させて、リスク情報の入力を促しても良い。
勿論、リスク情報の入力のみではなく、リスク入力支援部８により、リスク情報の修正や削除を行う処理を実行するものであっても良い。
【００４１】
また、リスク一覧表のリスク情報が書き込まれていないセルに対して、物理的理由等によりリスクが発生し得ないと判断した場合には、入力操作部１による空欄確定操作や、空欄確定ボタンの押下げ等が行われた後に、当該セルにリスクが発生しない旨、例えば、「想定できず」の表示情報を自動的に入力しても良い。
【００４２】
また、本発明の実施形態等の説明に際しては、リスク情報データベース等の情報は、記憶部２に記憶されていることを前提に説明しているが、勿論、情報読込部５が、通信部４を介して、装置１００の外部からリスク情報データベース等の情報を読み込むものであっても良い。
【符号の説明】
【００４３】
１  入力操作部
２  記憶部
３  表示部
４  通信部
５  情報読込部
６  一覧作成部
７  リスク抽出支援部
８  リスク入力支援部
５０  演算制御部
１００  装置
【図１】
2015156177.tif 000003
【図２】
2015156177.tif 000004
【図３】
2015156177.tif 000005
【図４】
2015156177.tif 000006
【図５】
2015156177.tif 000007
【図６】
2015156177.tif 000008
【図７】
2015156177.tif 000009